(57)【要約】【課題】ケーブルの影響を抑制しつつ、量産性に優れ小型化を図ることが可能なアンテナを提供することにある。【解決手段】アンテナ１は、プリント基板１０に長尺状の第１導電パターン１１および第２導電パターン１２を配置することでダイポールアンテナとしてのアンテナエレメントが形成されている。この第２導電パターン１２の基部である第２導電パターン接続部１２１に接続されるケーブル４が先部に向かって配線される。第２導電パターン１２には、ケーブル４に沿って切り欠き部１３が設けられている。【選択図】図１
2007158880.tif 000002
【特許請求の範囲】
【請求項１】
プリント基板に長尺状の導電パターンを配置することでアンテナエレメントが形成され、前記導電パターンの基部に接続されるケーブルが先部に向かって配線されるアンテナにおいて、
前記導電パターンには、前記ケーブルに沿って切り欠き部が設けられていることを特徴とするアンテナ。
【請求項２】
前記アンテナエレメントは、前記導電パターンの基部から先部に向かって二又状に分岐するように前記切り欠き部が形成されていることを特徴とする請求項１記載のアンテナ。
【請求項３】
前記アンテナエレメントは、前記切り欠き部により等幅に分岐していることを特徴とする請求項２記載のアンテナ。
【請求項４】
前記アンテナエレメントには、前記ケーブルと前記導電パターンとの隙間を確保するスペーサが設けられていることを特徴とする請求項１から３のいずれかの項に記載のアンテナ。
【請求項５】
前記アンテナエレメントには、前記ケーブルが接続する基部部分と、前記切り欠き部とを除いてレジスト膜が形成されていることを特徴とする請求項１から４のいずれかの項に記載のアンテナ。
【発明の詳細な説明】
【技術分野】
【０００１】
本発明は、プリント基板に長尺状の導電パターンを配置することでアンテナエレメントが形成され、導電パターンの基部に接続されるケーブルが先部に向かって配線されるアンテナに関する。
【背景技術】
【０００２】
プリント基板に長尺状の導電パターンを配置することでアンテナエレメントを形成したアンテナが特許文献１に記載されている。この特許文献１に記載のアンテナ・ユニットは、プリント基板の表面にストリップ・ダイポールのパターンを形成してそのギャップ部近傍に穴をあけ、プリント基板の裏側よりこの穴を介して同軸ケーブルをストリップ・ダイポールとしたパターンに接続したものである。このように、ストリップ・ダイポールのパターンが形成された面とは反対側となる裏側に同軸ケーブルを配線することで、同軸ケーブルの影響をアンテナエレメントに与えないようにしている。
【特許文献１】特開平１１−２３４０２７号公報
【発明の開示】
【発明が解決しようとする課題】
【０００３】
しかし、特許文献１に記載のアンテナ・ユニットでは、同軸ケーブルを裏面側から配線し、穴を通してストリップ・ダイポールを形成するパターンに接続しているので、穴から同軸ケーブル先端部分を摘み出して折り曲げながら半田付けする作業は効率が悪い。従って、量産性の向上が困難であったり、半田が隣接するアンテナエレメントである導電パターンに付着して不良となるなど歩留まりの低下を招いたりするおそれがある。
【０００４】
またケーブルを挿通可能な程度の大きさの穴を形成する必要があるが、小型のアンテナとなるとプリント基板の幅方向も細くなってしまうので、穴を開ける際にひび割れなどの発生のおそれもあり、小型化が困難である。
【０００５】
そこで本発明の目的は、ケーブルの影響を抑制しつつ、量産性に優れ小型化を図ることが可能なアンテナを提供することにある。
【課題を解決するための手段】
【０００６】
本発明のアンテナは、プリント基板に長尺状の導電パターンを配置することでアンテナエレメントが形成され、前記導電パターンの基部に接続されるケーブルが先部に向かって配線されるアンテナにおいて、前記導電パターンには、前記ケーブルに沿って切り欠き部が設けられていることを特徴とする。
【発明の効果】
【０００７】
本発明は、ケーブルをプリント基板に形成された導電パターンに沿って配線してもケーブルの影響を抑制することができるので、導電パターンが形成された面側からケーブルの接続作業を行うことができる。従って、ケーブルを裏面から穴を通して行う作業と比較して効率がよく量産性に優れている。また、導電パターンに切り欠き部を設けるだけなどの新たな製造工程や、プリント基板に穴を設ける工程など追加する必要がないので、製造コストの上昇を防止することができ、小型化が可能である。
【発明を実施するための最良の形態】
【０００８】
本願の第１の発明は、プリント基板に長尺状の導電パターンを配置することでアンテナエレメントが形成され、導電パターンの基部に接続されるケーブルが先部に向かって配線
されるアンテナにおいて、導電パターンには、ケーブルに沿って切り欠き部が設けられていることを特徴としたものである。
【０００９】
アンテナエレメントを形成する導電パターンに、ケーブルに沿って切り欠き部を設けているので、その切り欠き部にケーブルを沿って配線することで、ケーブルと導電パターンとの間に距離を確保することができる。従って、ケーブルと導電パターンとが近接することで発生する影響を抑制することができるので、ケーブルの配線がプリント基板の導電パターンが形成された面側から行うことができる。
【００１０】
本願の第２の発明は、アンテナエレメントは、導電パターンの基部から先部に向かって二又状に分岐するように切り欠き部が形成されていることを特徴としたものである。
【００１１】
例えば、切り欠き部を長尺状の導電パターンに片方側に寄せて形成すると、アンテナエレメントとして動作する導電パターンの電界強度の特性に偏りが発生するため、指向特性が偏ってしまう。本発明のアンテナは、導電パターンの基部から先部に向かって二又状に分岐するように切り欠き部が形成されているので、その切り欠き部に沿ってケーブルを配線することで、指向特性の偏りを抑制することができる。
【００１２】
本願の第３の発明は、アンテナエレメントは、切り欠き部により等幅に分岐していることを特徴としたものである。
【００１３】
導電パターンの基部から先部に向かって二又状に分岐するように切り欠き部を形成する際には、切り欠き部によって導電パターンが等幅に分岐するように形成するのが望ましい。これは、切り欠き部に沿ってケーブルを配置すると、ケーブルに沿って両側に等幅の導電パターンが形成されることになるので、電界強度の特性が両側の導電パターンで同一とすることができるからである。従って、アンテナエレメントを、切り欠き部により等幅に分岐するように形成することで指向特性の偏りを防止することができる。
【００１４】
本願の第４の発明は、アンテナエレメントには、ケーブルと導電パターンとの隙間を確保するスペーサが設けられていることを特徴としたものである。
【００１５】
ケーブルを切り欠き部に沿って配線するときに、なるべくケーブルを導電パターンから離間させて配線するのが、ケーブルが導電パターンに与える影響を少ないものするには望ましい。従って、導電パターンの基部から先部方向に向かって配線されるケーブルに、ケーブルと導電パターンとの隙間を確保するスペーサを設けることで、影響の度合いを軽減することができる。
【００１６】
本願の第５の発明は、アンテナエレメントには、ケーブルが接続する基部部分と、切り欠き部とを除いてレジスト膜が形成されていることを特徴としたものである。
【００１７】
導電パターン保護のためにレジスト膜を形成するときには、ケーブルが接続される導電パターンの基部部分は勿論のこと、切り欠き部を除いて形成すると、導電パターンおよびレジスト膜分の段差を切り欠き部に設けることができる。ケーブルを切り欠き部に沿って配線すると、この段差に沿ってケーブルを配線することができるので、ケーブル配線の作業性が向上する。
【００１８】
（実施の形態１）
本発明の実施の形態に係るアンテナを図面に基づいて説明する。図１は本発明の実施の形態に係るアンテナを説明する正面図である。図２は同アンテナを構成するプリント基板上の導電パターンを示す正面図であり、レジスト膜を塗布する前の状態を示す。図３は、
図１に示すアンテナにケーブルを接続した状態を示す側面図である。図４は、本発明の実施の形態に係るアンテナを用いたファクシミリ機能付きコードレス電話装置の親機を示す斜視図である。図５は、プリント基板上に設けられたレジスト膜を示すパターン図である。なお図１では、ケーブルは説明の便宜上省略している。
【００１９】
図１〜図３に示すように本実施の形態に係るアンテナ１は、長尺状のプリント基板１０に、第１導電パターン１１と、第２導電パターン１２とをそれぞれアンテナエレメントとして直線状に配置した２．４ＧＨｚ用のダイポールアンテナである。このアンテナ１は、図４で示されるファクシミリ機能付きコードレス電話装置の親機２の側面から突出するように、カバー３に収納され、基部が回動自在に取り付けられている。アンテナ１のそれぞれのアンテナエレメントの基部にはケーブル４が接続され、一方のアンテナエレメントに沿って親機２の内部へ配線されている。
【００２０】
プリント基板１０は、ガラスエポキシ樹脂で形成され、片面側に第１導電パターン１１および第２導電パターン１２のみを形成した片面プリント基板である。プリント基板１０の大きさは、長手方向が約７５ｍｍ、幅方向が約５ｍｍである。
【００２１】
第１導電パターン１１は、長尺の矩形状パターンである。この第１導電パターン１１は、長手方向が約２４ｍｍ、幅方向が約４ｍｍで、銅箔で形成されている。アンテナ１を縦に配置したときには、この第１導電パターン１１が第２導電パターン１２に対して上に位置する。
【００２２】
第２導電パターン１２は、長尺状でかつ、基部から先部に向かって二又に分岐するように切り欠き部１３が形成されている。この第２導電パターン１２は、長手方向が約２４ｍｍ、幅方向が約４ｍｍで、銅箔で形成されている。
【００２３】
切り欠き部１３は、第２導電パターン１２の基部を約２ｍｍ残し、先部に向かって矩形状に形成され、分岐した第２導電パターン１２が等幅となるように形成されている。
【００２４】
そして、第１導電パターン１１と第２導電パターン１２とが形成されたプリント基板１０上には、レジスト膜１４が形成されている（図５参照）。
【００２５】
図５に示すように、レジスト膜１４は、プリント基板１０のほぼ全面に形成されているが、ケーブル４を接続するために、第１導電パターン１１の基部の位置に「＋」形状に形成された第１導電パターン接続部１１１と、第２導電パターン１２の基部の位置に「□」形状に形成された第２導電パターン接続部１２１とを除外して形成されている。第１導電パターン接続部１１１と第２導電パターン接続部１２１とを異なる形状とすることで、ケーブル４の接続位置の識別を容易としている。
【００２６】
また、第２導電パターン接続部１２１と連続して切り欠き部１３部分も部分的に除外してレジスト膜１４を形成することで、プリント基板１０上に凹部１０１が形成されている。
【００２７】
この凹部１０１は、矩形状に形成され、レジスト膜１４を形成しないことで、第２導電パターン１２とレジスト膜１４との厚み分の窪みとしている。そして凹部１０１の先には、後述するスペーサの位置合わせのための位置合わせ部１０２がレジスト膜１４を形成しないことで設けられている。
【００２８】
位置合わせ部１０２は、ケーブル４を第１導電パターン接続部１１１と第２導電パターン接続部１２１とに接続して、第２導電パターン１２の先部へ向かって配線するときに、
スペーサ１５（図３参照）を配置するときの位置を示している。位置合わせ部１０２は、スペーサ１５が配置される端の位置を示す矩形状の配置部１０２ａと、配置部１０２ａから幅を狭く形成した幅狭部１０２ｂと、配置部１０２ａと等幅に形成された接着部１０２ｃとが形成されている。
【００２９】
スペーサ１５は、細長の直方体状のスポンジで形成されている。このスペーサ１５は、ケーブル４を配線したときに、第２導電パターン１２とケーブル４との間を確保できれば、他の材質のものでも使用することができるが、ケーブル４を載置すると弾性変形する材質の方が配線するときにケーブル４を安定させることができるので望ましい。例えば軟質なゴムや樹脂なども使用することができる。
【００３０】
ケーブル４は、外来からの影響を受けにくく、外に影響を与えにくいので本実施の形態では同軸ケーブルを使用しているが、第１導電パターン１１および第２導電パターン１２に接続してそれぞれの信号が配線できれば同軸ケーブル以外でも使用することができる。このケーブル４の芯線が第１導電パターン接続部１１１に、網線が第２導電パターン接続部１２１に接続され、親機２本体まで配線されている。
【００３１】
以上のように構成される本発明の実施の形態に係るアンテナ１にケーブル４を取り付ける方法を、更に図６および図７を参照しながら説明する。図６（Ａ）〜（Ｄ）は、本発明の実施の形態に係るアンテナにケーブルを取り付ける方法を説明する図である。図７は、図５におけるＡ部拡大図である。
【００３２】
図６（Ａ）は、まずプリント基板１０に第１導電パターン１１および第２導電パターン１２とが形成され、レジスト膜１４が形成されたアンテナ１を準備する。
【００３３】
このアンテナ１のアンテナエレメントは、プリント基板１０全面に銅箔面を形成したものに、エッチングにより第１導電パターン１１および第２導電パターン１２とを形成することができる。従って、第２導電パターン１２が基部から先部へ向かって二又となるように分岐した形状をしていても、エッチングするマスクパターンをこの形状に合わせて作製するだけで、特別な製造工程を追加することなく形成することができる。従って、製造コストを増加させることなく形成することができる。また、片面プリント基板であるので廉価に作製することができる。
【００３４】
図６（Ｂ）に示すように、第１導電パターン１１の第１導電パターン接続部１１１にケーブル４の芯線を、第２導電パターン１２の第２導電パターン接続部１２１に網線を半田付けする。ケーブル４の半田付け作業は、ケーブル４を接続する第１導電パターン１１と第２導電パターン１２が形成された面側から行うことができるので、作業性が低下することはない。
【００３５】
図６（Ｃ）に示すように、ケーブル４を接続した後に、ケーブル４とプリント基板１０との間にスペーサ１５を挿入する。スペーサ１５を挿入するに当たって、まず接着剤を接着部１０２ｃに塗布する。接着部１０２ｃは、切り欠き部１３により第２導電パターン１２が形成されておらず、またレジスト膜１４も形成されていないので、レジスト膜１４の表面に対して一段低い窪みとなっている。従って、接着剤を塗布したときにこの窪みから流出しにくいので、作業者による接着剤の塗布のばらつきを抑制することができる。
【００３６】
そして、接着剤を接着部１０２ｃに塗布した後に、スペーサ１５を配置する。ここで、このスペーサ１５の位置合わせについて、更に図７を参照しながら詳細に説明する。
【００３７】
図７に示すように、スペーサ１５を、位置合わせ部１０２の配置部１０２ａの中央位置
（図中、一点鎖線で示すＬ１）にスペーサ１５の端を合わせて搭載する。スペーサ１５の配置位置である配置部１０２ａの中央位置を作業者に認識するために特別にプリント基板１０に目印を設けていなくても、幅狭部１０２ｂが形成されているため、作業者は幅狭部１０２ｂを目印に配置部１０２ａを認識することで、その中央位置を容易に識別することができる。このようにしてアンテナ１にケーブル４を第２導電パターン接続部１２１から第２導電パターン１２の先部に向かって配線する（図６（Ｄ）参照）。
【００３８】
第２導電パターン接続部１２１にケーブル４を接続するときは、ケーブル４の外皮を剥いた状態で網線を接続する。従って、第２導電パターン接続部１２１ではケーブル４の径が細い状態であるのに対し、外皮を剥かれていない状態の切り欠き部１３の位置では、外皮分ほど経が太い。従って、第２導電パターン接続部１２１からスペーサ１５までの傾きによりケーブル４の接続部分に曲げ応力がかかる。しかし、切り欠き部１３にはレジスト膜１４が形成されていない凹部１０１が設けられているので、レジスト膜１４の厚みおよび第２導電パターン１２の厚み分ほどの段差に、ケーブル４の外皮が少しであるが収まる。従って、スペーサ１５まで傾きを緩和することができると共に、ケーブル４の配線を案内するので作業性が向上する。
【００３９】
この凹部１０１や、位置合わせ部１０２は、レジスト膜１４を形成しないことで設けられているので、レジスト膜１４の形成する際の版を変更するだけで対応することができる。従って、シルクなどで特別に印刷する必要がないので、製造コストを増加させることなく形成することができる。
【００４０】
このように、アンテナエレメントを形成する第２導電パターン１２に、ケーブル４に沿って切り欠き部１３を設けているので、その切り欠き部１３にケーブル４を沿って配線することで、ケーブル４と第２導電パターン１２との間に距離を確保することができる。従って、ケーブル４と第２導電パターン１２とが近接することで発生する特性劣化を防止することができる。また、スペーサ１５により更にケーブル４と第２導電パターン１２との間を確保しているので、更に特性を向上させることができる。また、第２導電パターン１２は、第２導電パターン接続部１２１から二又に分岐して、それぞれは等幅に形成されているので、指向特性の偏りを防止することができる。
【００４１】
以上、本発明の実施の形態について説明してきたが、本発明は実施の形態に限定されるものではない。例えば、本実施の形態では、一対の導電パターンを直線状に配置したダイポールアンテナを例に説明したが、プリント基板に導電パターンを配置し、その導電パターンに沿ってケーブルを配線するアンテナエレメントを用いるアンテナであれば適用は可能である。
【産業上の利用可能性】
【００４２】
本発明は、量産性に優れ、小型化を図ることが可能なので、プリント基板に長尺状の導電パターンを配置することでアンテナエレメントが形成され、導電パターンの基部に接続されるケーブルが先部に向かって配線されるアンテナに好適である。
【図面の簡単な説明】
【００４３】
【図１】本発明の実施の形態に係るアンテナを説明する正面図
【図２】本発明の実施の形態に係るアンテナを構成するプリント基板上の導電パターンを示す正面図
【図３】図１に示すアンテナにケーブルを接続した状態を示す側面図
【図４】本発明の実施の形態に係るアンテナを用いたファクシミリ機能付きコードレス電話装置の親機を示す斜視図
【図５】プリント基板上に設けられたレジスト膜を示すパターン図
【図６】本発明の実施の形態に係るアンテナにケーブルを取り付ける方法を説明する図
【図７】図５におけるＡ部拡大図
【符号の説明】
【００４４】
１    アンテナ
２    親機
３    カバー
４    ケーブル
１０    プリント基板
１１    第１導電パターン
１２    第２導電パターン
１３    切り欠き部
１４    レジスト膜
１５    スペーサ
１０１    凹部
１０２    位置合わせ部
１０２ａ    配置部
１０２ｂ    幅狭部
１０２ｃ    接着部
１１１    第１導電パターン接続部
１２１    第２導電パターン接続部
【図１】
2007158880.tif 000003
【図２】
2007158880.tif 000004
【図３】
2007158880.tif 000005
【図４】
2007158880.tif 000006
【図５】
2007158880.tif 000007
【図６】
2007158880.tif 000008
【図７】
2007158880.tif 000009